(57)【要約】【課題】スライダの、ベルトアンカーを支持するボス部をバーリング加工で形成しても、ボス部の高さを従来より高くでき、しかも内径差を有しないようにする。【解決手段】バーリング加工によってスライダ１１に一体に形成されたボス部１２は、その先端１２ｄの外径ｅがボス部１２の根元部１２ｃの外径ａより小さく（ｅ＜ａ）なっているが、ボス部１２の先端１２ｄの内径がボス部１２の根元部１２ｃの内径ｂと等しくなっている。すなわち、ボス部１２の外径は根元部１２ｃから先端１２ｄに向かって小さくなるように変化しているのに対して、ボス部１２の内径は根元部１２ｃから先端１２ｄに向かって変化しなく、一定になっている。これにより、高さｅが従来より高いボス部１２をバーリング加工によって形成可能となる。【選択図】    図２
2007326455.tif 000002
【特許請求の範囲】
【請求項１】
車体に取り付けられるガイドレールと、このガイドレールに摺動可能に設けられ、シートベルトをガイドするベルトアンカーを揺動可能に支持するスライダとを少なくとも備え、前記スライダはバーリング加工で形成されかつ前記ベルトアンカーを支持するボス部を有しており、前記スライダが前記ガイドレールに対して摺動することで前記シートベルトの位置を調節するシートベルト位置調節装置において、
前記ボス部は、その内径が前記ボス部の根元部と先端部との間で一定になるように形成されているとともに、前記ボス部の外径が前記ボス部の根元部から先端に向かって連続して小さくなるように形成されていることを特徴とするシートベルト位置調節装置。
【請求項２】
通常時はシートベルトを引出可能に巻き取り、緊急時にはシートベルトを引出不能にするシートベルトリトラクタと、前記シートベルトに摺動可能に支持されたタングと、車両シートまたは車体に固定され、前記タングが係止されるバックルと、前記車体に取り付けられ、前記シートベルトリトラクタから引き出されたシートベルトをガイドするベルトアンカーと、前記ベルトアンカーの位置を調節するシートベルト位置調節装置とを少なくとも備え、前記シートベルト位置調節装置により前記ベルトアンカーの位置を調節することで、乗員に対するシートベルトの位置を調節するようになっているシートベルト装置において、
前記シートベルト位置調節装置は、請求項１記載のシートベルト位置調節装置であることを特徴とするシートベルト装置。
【発明の詳細な説明】
【技術分野】
【０００１】
本発明は、車両に使用されているシートベルト装置に用いられて、シートベルトの位置を調節するためのシートベルト位置調節装置およびこれを備えたシートベルト装置に関するものである。
【背景技術】
【０００２】
例えば自動車等の車両に搭載されるシートベルト装置は、車両の衝突時等の大きな減速度が車両に加えられたとき、乗員をその慣性移動から拘束保護するものである。従来、このようなシートベルト装置の１つとして、例えば図３に示すように三点式シートベルト装置がある。図中、１は車両シート２に付設されたシートベルト装置、３は車両シート２近傍の車体に固定されて、通常時はシートベルト４を引出可能に巻き取り、緊急時にはシートベルト４を引出不能にするシートベルトリトラクタ、５はシートベルト４に摺動可能に支持されたタング、６は車両シート２あるいは車体に固定され、タング５が係止されるバックル、および７はセンターピラー８等の車体側部の上方位置に取り付けられシートベルトリトラクタ３から引き出されたシートベルト４をガイドするベルトアンカー（別称、ショルダーアンカー）、９はベルトアンカー７の高さ位置を調節するシートベルト位置調節装置である。なお、シートベルトリトラクタ３から引き出されたシートベルト４の先端部４ａは、車両シート２あるいは車体に固定されている。また、図３に示す状態では、タング５がバックル６に係止されていないが、シートベルト４がシートベルトリトラクタ３から所定量引き出された状態を示している。
【０００３】
このように構成されたシートベルト装置１は、乗員がシートベルト４を装着するにあたっては、乗員が車両シート２に着座してシートベルト４をシートベルトリトラクタ３から引き出し、タング５をバックル６に係止した後、タング５から手を離すことにより、余分に引き出されたシートベルト４がシートベルトリトラクタ３で巻き取られてシートベルト４の弛みが解消され、シートベルト４が乗員に装着される。
【０００４】
シートベルト４は、緊急時における乗員を効果的に拘束することおよび通常乗車時の乗員が圧迫感等を受けることなく快適に乗車できること等により乗員に対してできるだけその乗員に正しくフィットした位置にかけることが望まれる。特に、乗員の肩から胸を通って腹部まで支持するショルダーベルト４ｂは、乗員により一層フィットした位置にかけられることが求められる。一方、乗員には子供や大人、あるいは同じ大人でも体格の大きい者や小さい者等がおり、乗員の体格は種々異なる。そこで、シートベルト４の位置を調節可能にして、種々異なる体格の乗員に対して、その乗員毎にシートベルト４ができるだけ快適にフィットした位置にかけられるようにするシートベルト位置調節装置９が従来からシートベルト装置１に備えられている。
【０００５】
一般に、従来のこのようなシートベルト位置調節装置９は、センターピラー８等の車体側部の上方位置に高さ方向（上下方向）へ延びるように設けられたガイドレール１０と、このガイドレール１０に摺動可能に設けられ、シートベルトリトラクタ３から引き出されたシートベルト４をガイドするベルトアンカー７を揺動可能に支持するスライダ１１とを少なくとも備えている。
【０００６】
そして、ベルトアンカー７の高さ位置を所望の高さ位置に調節する場合、スライダ１１に設けられた図示しない操作ボタンを操作して、ガイドレール１０の位置決め孔（不図示）から係止ピン（同じく、不図示）を抜いた後、スライダ１１を所望の高さ位置の方へ上下動させて所望の高さ位置に対応するガイドレール１０の位置決め孔あるいは所望の高さ位置に最も近いガイドレール１０の位置決め孔に係止ピンを挿入係合させる。これにより、ベルトアンカー７の高さ位置が乗員の所望の高さ位置に調節され、シートベルト４が乗員にフィットした位置にかけられる。
【０００７】
ところで、ベルトアンカー７を支持するために、スライダ１１にはボス部が形成されている。図４（ａ）に示すようにこのボス部１２としては、従来、雌ねじ１２ａを有するボス部材１２′をスライダ１１と別体に形成するとともに、このボス部材１２′をスライダ１１に固定されたボス部１２がある。しかしながら、このような別体のボス部材１２′を用いたのでは、重量が大きいばかりでなく、部品点数が多くなって製造工数が多いという問題がある。
【０００８】
そこで、シートベルト位置調節装置９のスライダ１１に設けられるボス部１２を、図４（ｂ）に示すようにバーリング加工によりスライダ１１と一体に形成することで、軽量化を図るとともに、部品点数を削減し製造工数を低減したボス部１２を有するスライダ１１が提案されている（例えば、特許文献１および２等参照）。
【特許文献１】特公平７−７１９２０号公報。
【特許文献２】特開２００４−１０６７２０号公報。
【発明の開示】
【発明が解決しようとする課題】
【０００９】
従来、バーリング加工によりボス部１２を形成する場合、長手方向に一定内径の加工孔を有するダイと長手方向に一定外径を有するポンチとを用いてボス部１２を加工している場合が多い。そして、バーリング加工時に、ボス部１２の先端部１２ｂが最初引き伸ばされてダイの加工孔内に押し込まれるようになるため、図４（ｃ）に示すようにバーリング加工により形成されたボス部１２の外径は、ボス部１２の根元部１２ｃの外径ａが先端１２ｄの外径ｂと等しく（ａ＝ｂ）一定であり、かつボス部１２の内径が根元部１２ｃから先端１２ｄに向かって連続的に大きくなるように変化し、先端１２ｄの内径ｄが根元部１２ｃの内径ｃより大きく（ｄ＞ｃ）なる内径差が生じる。この内径差により、ボス部１２の根元部１２ｃの肉厚がボス部１２の先端部１２ｂの肉厚より厚く形成される。
【００１０】
ところで、ベルトアンカー７の支持を堅固にするためには、図４（ｂ）において有効な雌ねじ１２ａの長さを長くする必要がある。換言すると、図４（ｃ）においてボス部１２の高さ（突出量）ｅをある程度高くする必要がある。しかしながら、バーリング加工においてこのようにボス部１２の高さｅを単純に高くすると、前述のようにボス部１２の内径が根元部１２ｃから先端１２ｄに向かって連続的に大きく変化するため、タップによるねじ切りが効率よく行われなくなり、有効な雌ねじ１２ａが形成し難くなる。このため、一定の内径の加工孔を有すると一定の外径を有するポンチとを用いてバーリング加工によりボス部１２を形成する場合、ボス部１２の高さｅをあまり高くすることができない。したがって、有効な雌ねじ１２ａの長さをあまり長くすることはできないという問題がある。これは、タップによるねじ切り以外の例えば切削等による他のねじ切りでも同様である。
【００１１】
本発明はこのような事情を鑑みてなされたものであり、その目的は、ベルトアンカーを支持するためのスライダのボス部をバーリング加工で形成しても、ボス部の高さを従来より高くできるとともに内径差を有しないシートベルト位置調節装置およびこれを備えたシートベルト装置を提供することである。
【課題を解決するための手段】
【００１２】
前述の課題を解決するために、請求項１の発明に係るシートベルト位置調節装置は、車体に取り付けられるガイドレールと、このガイドレールに摺動可能に設けられ、シートベルトをガイドするベルトアンカーを揺動可能に支持するスライダとを少なくとも備え、前記スライダがバーリング加工で形成されかつ前記ベルトアンカーを支持するボス部を有しており、前記スライダが前記ガイドレールに対して摺動することで前記シートベルトの位置を調節するシートベルト位置調節装置において、前記ボス部が、その内径が前記ボス部の根元部と先端部との間で一定になるように形成されているとともに、前記ボス部の外径が前記ボス部の根元部から先端に向かって連続して小さくなるように形成されていることを特徴としている。
【００１３】
また、請求項２の発明に係るシートベルト装置は、通常時はシートベルトを引出可能に巻き取り、緊急時にはシートベルトを引出不能にするシートベルトリトラクタと、前記シートベルトに摺動可能に支持されたタングと、車両シートまたは車体に固定され、前記タングが係止されるバックルと、前記車体に取り付けられ、前記シートベルトリトラクタから引き出されたシートベルトをガイドするベルトアンカーと、前記ベルトアンカーの位置を調節するシートベルト位置調節装置とを少なくとも備え、前記シートベルト位置調節装置により前記ベルトアンカーの位置を調節することで、乗員に対するシートベルトの位置を調節するようになっているシートベルト装置において、前記シートベルト位置調節装置が、請求項１記載のシートベルト位置調節装置であることを特徴としている。
【発明の効果】
【００１４】
このように構成された本発明に係るシートベルト位置調節装置によれば、バーリング加工で形成されたボス部がその内径を一定にされて内径差を有していないので、ボス部の高さ（突出量）を従来に比べて高くすることができる。これにより、ボス部に対してタップによるねじ切りを効率よく行うことができ、従来に比べて長い有効な雌ねじを形成することができる。したがって、有効な雌ねじが長くなる分、ベルトアンカーの支持をより堅固に保持することが可能となる。
【００１５】
また、本発明に係るシートベルト装置によれば、本発明のシートベルト位置調節装置を備えてベルトアンカーの支持をより堅固に保持することが可能となることで、車両の衝突時等の大きな減速度が車両に加えられたとき、乗員をその慣性移動からより効果的に拘束保護することができる。
【発明を実施するための最良の形態】
【００１６】
以下、図面を用いて本発明を実施するための最良の形態について説明する。
図１は本発明に係るウェビング位置調節装置の実施の形態の一例におけるガイドレールとスライダとを示し、（ａ）は斜視図、（ｂ）は（ａ）におけるIB−IB線に沿う断面図である。なお、前述の従来例の構成要素と同じ構成要素には同じ符号を付すことで、その詳細な説明は省略する。
【００１７】
図１（ａ）および（ｂ）に示すように、この例のウェビング位置調節装置９もガイドレール１０とスライダ１１とを備えている。ガイドレール１０は上下方向（高さ方向）に延びてセンターピラー８等の車体側部の上方位置に配置され、その上下端部に設けられた取付孔１０ａ,１０ｂに図示しないボルトを貫通させかつ車体側部に螺合することで取り付けられる。
【００１８】
ガイドレール１０の左右両側縁には、それぞれ上下方向に延びるレール部１０ｃ,１０ｄが設けられているとともに、中央には、所定数の位置決め孔１０ｅが上下方向に所定間隔を置いて穿設されている。
【００１９】
スライダ１１も上下方向に延びるようにして設けられ、その左右両側縁は曲げられて被ガイド部１１ａ,１１ｂとされている。これらの被ガイド部１１ａ,１１ｂは、それぞれガイドレール１０のレール部１０ｃ,１０ｄに摺動可能に係合してこれらのレール部１０ｃ,１０ｄにガイドされて上下動するようになっている。
【００２０】
図１（ａ）に示すように、この例のスライダ１１にも、従来のスライダ１１と同様にベルトアンカー７を揺動可能に支持するためのボス部１２が突設されている。図２（ａ）に示すように、ボス部１２はバーリング加工によってスライダ１１に一体に形成されており、その内周面に雌ねじ１２ａが形成されている。図２（ｂ）に示すように、ボス部１２の先端１２ｄの外径ｂはボス部１２の根元部１２ｃの外径ａより小さく（ｂ＜ａ）なっているが、ボス部１２の先端１２ｄの内径ｄはボス部１２の根元部１２ｃの内径ｃと等しくなっている（ｃ＝ｄ）。すなわち、ボス部１２の外径は根元部１２ｃから先端１２ｄに向かって小さくなるように変化しているのに対して、ボス部１２の内径は根元部１２ｃから先端１２ｄに向かって変化しなく、一定になっていて、内径差を有していない。
【００２１】
したがって、この例のボス部１２においては、前述の従来例と同様にバーリング加工によりボス部１２の先端部１２ｂが根元部１２ｃより薄肉となる。しかし、前述のようにボス部１２の内径ｂ,ｃが一定で互いに等しくなっているので、図２（ｂ）に示すように、ボス部１２の先端１２ｄでの外径ｂと根元部１２ｃでの外径ａとの間で、先端１２ｄの外径ｂが根元部１２ｃの外径ａより小さくなる外径差（ｂ＜ａ）が生じる。
【００２２】
この例のシートベルト位置調節装置９によれば、バーリング加工で形成されたボス部１２がその内径を一定にされて内径差を有していないので、ボス部１２の高さ（突出量）ｄを従来に比べて高くすることができる。これにより、ボス部１２に対してタップによるねじ切りを効率よく行うことができ、従来に比べて長い有効な雌ねじ１２ａを形成することができる。したがって、有効な雌ねじ１２ａが長くなる分、ベルトアンカー７の支持をより堅固に保持することが可能となる。
【００２３】
この例のシートベルト位置調節装置９の他の構成および他の作用効果は、図４（ｂ）に示すようなバーリング加工により形成されたボス部１２を有するスライダ１１を備える従来の一般的なシートベルト位置調節装置の構成と同じである。
【００２４】
また、この例のシートベルト位置調節装置９は、例えば図３に示す従来の一般的な三点式シートベルト装置のシートベルト位置調節装置９に適用することができる。そして、シートベルト装置１はこの例のシートベルト位置調節装置９を備えることで、ベルトアンカーの支持をより堅固に保持することが可能となり、車両の衝突時等の大きな減速度が車両に加えられたとき、乗員をその慣性移動からより効果的に拘束保護することができる。
【産業上の利用可能性】
【００２５】
本発明のシートベルト位置調節装置およびこれを備えたシートベルト装置は、車両に使用されているシートベルト装置におけるシートベルトの高さ位置を調節するためのシートベルト位置調節装置およびこれを備えたシートベルト装置に好適に利用することができる。
【図面の簡単な説明】
【００２６】
【図１】本発明に係るウェビング位置調節装置の実施の形態の一例におけるガイドレールとスライダとを示し、（ａ）は斜視図、（ｂ）は（ａ）におけるIB−IB線に沿う断面図である。
【図２】図１に示す例のスライダを示し、（ａ）はスライダの長手方向の断面図、（ｂ）はバーリング加工で形成されたボス部の説明図である。
【図３】自動車に設置された従来の一般的な三点式シートベルト装置を示す図である。
【図４】従来のウェビング位置調節装置に用いられているスライダを示し、（ａ）一例のスライダの断面図、（ｂ）は他の例のスライダの断面図、（ｃ）は（ｂ）に示すスライダにおける、バーリング加工で形成されたボス部の説明図である。
【符号の説明】
【００２７】
１…シートベルト装置、３…シートベルトリトラクタ、４…シートベルト、５…タング、６…バックル、７…ベルトアンカー（ショルダーアンカー）、９…シートベルト位置調節装置、１０…ガイドレール、１１…スライダ、１２…ボス部、１２ｂ…先端部、１２ｃ…根元部、１２ｄ…先端、１３ｆ…ダイ、１３ｇ…加工孔、１３ｈ…傾斜孔部、１３ｉ…一定内径孔部、１４…第１のポンチ
【図１】
2007326455.tif 000003
【図２】
2007326455.tif 000004
【図３】
2007326455.tif 000005
【図４】
2007326455.tif 000006